(57)【特許請求の範囲】
【請求項１】
通信接続された複数の自動販売機のうちの隣接した複数の自動販売機の各表示部を用いて連動広告表示を行うことができる自動販売機システムであって、
前記複数の自動販売機のうちの特定の自動販売機は、
販売状態でない、隣接する複数の自動販売機がある場合、前記隣接する複数の自動販売機に対して、前記隣接する複数の自動販売機に対応する連動広告用コンテンツの指定及び表示開始の所定タイミングを含む連動広告表示通知を送る連動広告統制部を備え、
各自動販売機は、
自動販売機動作が販売状態であるか否かを示す動作状態情報を前記特定の自動販売機に通知する制御部と、
前記連動広告表示通知を受けた場合、通知された連動広告用コンテンツの表示を、通知された所定タイミングで開始する広告制御部と、
を備え、
前記連動広告統制部は、連動広告用コンテンツを表示中の自動販売機内に販売状態に変化した自動販売機がある場合に、
当該販売状態に変化した自動販売機を除く他の販売状態でない自動販売機のうちに隣接するものが存在する場合、販売状態に変化した自動販売機を除く他の販売状態でない自動販売機のうちの隣接する複数の自動販売機に前記連動広告表示通知を送り、当該隣接した複数の自動販売機の各表示部を用いて連動広告用コンテンツを表示させ、
当該販売状態に変化した自動販売機により、当該販売状態に変化した自動販売機を除く他の販売状態でない自動販売機の中に隣接するものが存在しない場合、連動広告用コンテンツの表示の停止を指示する連動広告表示停止通知を送り、販売状態でなく、隣接しない自動販売機の各表示部にそれぞれ単独の広告用コンテンツを表示させることを特徴とする自動販売機システム。
【請求項２】
前記広告制御部は、前記連動広告表示停止通知を受けた場合、単独の表示部で表示される単独広告用コンテンツを表示することを特徴とする請求項１に記載の自動販売機システム。
【請求項３】
前記広告制御部は、自身の自動販売機動作が販売状態である場合、商品販売のための商品一覧コンテンツを自身の表示部に表示することを特徴とする請求項１又は２に記載の自動販売機システム。
【請求項４】
前記連動広告表示通知は、通知先の自動販売機に対応した、前記連動広告用コンテンツ内の表示領域の指定を含むことを特徴とする請求項１〜３のいずれか一つに記載の自動販売機システム。
【請求項５】
前記表示領域は、通知先の自動販売機の表示画面上における表示位置を含むことを特徴とする請求項４に記載の自動販売機システム。
【請求項６】
少なくとも前記連動広告用コンテンツは、動画であることを特徴とする請求項１〜５のいずれか一つに記載の自動販売機システム。
【発明の詳細な説明】
【技術分野】
【０００１】
本発明は、複数の自動販売機の各表示部を用いて表示領域が広い連動広告を表示することができる自動販売機システムに関する。
【背景技術】
【０００２】
自動販売機では、利用者の購買意欲を促進させるため、利用者に対する自動販売機本体の視認性を向上させていた。例えば、自動販売機本体の外観を目立つように塗装したり、商品選択ボタンを一定のパターンで点灯させたりして目立つようにしていた。
【０００３】
また、近年では、自動販売機の前面に液晶ディスプレイ等の電子表示を用いて（特許文献１参照）、利用者の購買意欲の促進を図っている。さらに、利用者の情報をもとに表示する広告の内容を変更して（特許文献２参照）、宣伝広告効果を高めるようにしている。また、特許文献３では、並列配置した複数の自動販売機のうちの１つの自動販売機の表示部を大型のプラズマディスプレイとし、商品一覧の表示と広告表示とを切り替えるものが記載されている。
【先行技術文献】
【特許文献】
【０００４】
【特許文献１】特開平１１−２４２７７３号公報
【特許文献２】特開２００３−１９６７２０号公報
【特許文献３】特開２００１−２７３５５１号公報
【発明の概要】
【発明が解決しようとする課題】
【０００５】
ところで、従来の自動販売機を用いた広告は、１つの自動販売機の正面パネルの限られたスペース内で行われており、大画面で連動した広い広告を表示することができなかった。
【０００６】
本発明は、上記に鑑みてなされたものであって、複数の自動販売機の各表示部を用いて表示領域が広い連動広告を表示することができる自動販売機システムを提供することを目的とする。
【課題を解決するための手段】
【０００７】
上述した課題を解決し、目的を達成するために、本発明にかかる自動販売機システムは、通信接続された複数の自動販売機のうちの隣接した複数の自動販売機の各表示部を用いて連動広告表示を行うことができる自動販売機システムであって、前記複数の自動販売機のうちの特定の自動販売機は、販売状態でない、隣接する複数の自動販売機がある場合、前記隣接する複数の自動販売機に対して、表示する連動広告用コンテンツの指定及び表示開始の所定タイミングを含む連動広告表示通知を送る連動広告統制部を備え、各自動販売機は、自動販売機動作が販売状態であるか否かを示す動作状態情報を前記特定の自動販売機に通知する制御部と、前記連動広告表示通知を受けた場合、通知された連動広告用コンテンツの表示を、通知された所定タイミングで開始する広告制御部と、を備えたことを特徴とする。
【０００８】
また、本発明にかかる自動販売機システムは、上記の発明において、前記連動広告統制部は、連動広告用コンテンツを表示中の自動販売機内に販売状態に変化した自動販売機がある場合、前記隣接する複数の自動販売機に対して連動広告用コンテンツの表示の停止を指示する連動広告表示停止通知を送ることを特徴とする。
【０００９】
また、本発明にかかる自動販売機システムは、上記の発明において、前記広告制御部は、前記連動広告表示停止通知を受けた場合、単独の表示部で表示される単独広告用コンテンツを表示することを特徴とする。
【００１０】
また、本発明にかかる自動販売機システムは、上記の発明において、前記広告制御部は、自身の自動販売機動作が販売状態である場合、商品販売のための商品一覧コンテンツを自身の表示部に表示することを特徴とする。
【００１１】
また、本発明にかかる自動販売機システムは、上記の発明において、前記連動広告表示通知は、通知先の自動販売機に対応した、前記連動広告用コンテンツ内の表示領域の指定を含むことを特徴とする。
【００１２】
また、本発明にかかる自動販売機システムは、上記の発明において、前記表示領域は、通知先の自動販売機の表示画面上における表示位置を含むことを特徴とする。
【００１３】
また、本発明にかかる自動販売機システムは、上記の発明において、少なくとも前記連動広告用コンテンツは、動画であることを特徴とする。
【発明の効果】
【００１４】
本発明によれば、複数の自動販売機のうちの特定の自動販売機に設けられた連動広告統制部が、販売状態でない、隣接する複数の自動販売機がある場合、前記隣接する複数の自動販売機に対して、表示する連動広告用コンテンツの指定及び表示開始の所定タイミングを含む連動広告表示通知を送り、各自動販売機に設けられた広告制御部は、前記連動広告表示通知を受けた場合、通知された連動広告用コンテンツの表示を、通知された所定タイミングで開始する。これにより、複数の自動販売機の各表示部を用いて表示領域が広い連動広告を表示することができる。
【図面の簡単な説明】
【００１５】
【図１】図１は、本発明の実施の形態である自動販売機システムの外観構成を示す正面図である。
【図２】図２は、自動販売機システムの広告表示に関する構成を示すブロック図である。
【図３】図３は、連動広告統制部による連動広告表示統制処理手順を示すフローチャートである。
【図４】図４は、広告制御部の広告表示制御処理手順を示すフローチャートである。
【図５】図５は、３つの隣接する自動販売機がそれぞれ販売状態でない場合に、各表示部に対する表示内容を示す図である。
【図６】図６は、２つの隣接する自動販売機が販売状態でなく、１つの自動販売機が販売状態である場合の各表示部に対する表示内容を示す図である。
【図７】図７は、１つの自動販売機が販売状態であり、２つの自動販売機が隣接せずに販売状態でない場合の各表示部に対する表示内容を示す図である。
【図８】図８は、連動広告表示通知に含まれる表示領域情報の一例を説明する説明図である。
【図９】図９は、表示領域情報に含まれる表示画面上の位置の一例を説明する説明図である。
【発明を実施するための形態】
【００１６】
以下、添付図面を参照してこの発明を実施するための形態について説明する。
【００１７】
図１は、本発明の実施の形態である自動販売機システム１００の外観構成を示す正面図である。また、図２は、自動販売機システム１００の広告表示に関する構成を示すブロック図である。図１に示すように、自動販売機システム１００は、複数の自動販売機１〜３が隣接配置される。なお、各自動販売機１〜３は、図示しないが、金銭処理機構、販売する商品を格納する商品格納庫、格納庫内の商品を冷却あるいは加温する冷却／加温機構、選択された商品を商品取出口まで搬出する商品搬出機構を有し、商品の販売を行う。
【００１８】
図１に示すように、自動販売機１〜３の前面上部には、それぞれ表示部１１、２１、３１が設けられる。表示部１１、２１、３１は、液晶ディスプレイなどの電子表示を行うものである。図１では、３つの自動販売機１〜３が併設されているが、２台または４台以上の自動販売機を隣接配置してもよい。また、表示部１１、２１、３１の表示領域の大きさは同一であっても、異なっていてもよい。
【００１９】
図２に示すように、自動販売機１は、自販機主制御部Ｃ１１に、広告制御部１０、連動広告統制部４０、通信部１３、人感センサ１４が接続されている。広告制御部１０には、表示部１１及び記憶部１２が接続される。記憶部１２には、２つの連動広告用コンテンツＤ１１、Ｄ１２、２つの単独広告用コンテンツＤ１３、Ｄ１４、及び、商品一覧コンテンツＤ１５が保持されている。この自動販売機１は、連動広告統制部４０を有した特定の自動販売機である。連動広告統制部４０は、通信接続された複数の自動販売機１〜３のうち、販売状態でない、隣接した複数の自動販売機の各表示部を用いた連動広告表示の統制を行う。なお、自動販売機１〜３の隣接状態は、各自動販売機１〜３の通信接続時に取得することが可能であるが、連動広告統制部４０に対して個別に設定してもよい。
【００２０】
また、図２に示すように、自動販売機２、３は、それぞれ自販機主制御部Ｃ２１、Ｃ３１に、広告制御部２０、３０、通信部２３、３３、及び人感センサ２４、３４が接続されている。広告制御部２０、３０には、それぞれ表示部２１、３１と記憶部２２、３２とが接続される。記憶部２２には、２つの連動広告用コンテンツＤ１１、Ｄ１２、２つの単独広告用コンテンツＤ２３、Ｄ２４、及び、商品一覧コンテンツＤ２５が保持されている。記憶部３２には、２つの連動広告用コンテンツＤ１１、Ｄ１２、２つの単独広告用コンテンツＤ３３、Ｄ３４、及び、商品一覧コンテンツＤ３５が保持されている。
【００２１】
自動販売機１〜３は、通信部１３、２３、３３を介して相互に通信接続される。なお、通信接続の手段は、有線ＬＡＮ、無線ＬＡＮ、Ｂｌｕｅｔｏｏｔｈ（登録商標）やＷｉ−Ｆｉ（登録商標）などの近距離通信手段、赤外線通信手段などの各種通信手段を適用することができる。
【００２２】
また、各記憶部１２、２２、３２に保持されている連動広告用コンテンツＤ１１は、同一の動画などのコンテンツである。また、各記憶部１２、２２、３２に保持されている連動広告用コンテンツＤ１２は、同一の動画などのコンテンツである。なお、連動広告用コンテンツＤ１１は、３つの表示部１１、２１、３１で連動表示されるコンテンツであり、連動広告用コンテンツＤ１２は、２つの表示部１１、２１で連動表示されるコンテンツである。なお、連動広告用コンテンツＤ１１、Ｄ１２は、各表示部１１、２１、３１の表示領域に対応する部分の分割されたコンテンツとしてそれぞれ保持してもよい。
【００２３】
各自販機主制御部Ｃ１１、Ｃ２１、Ｃ３１は、それぞれ商品の販売制御を行うとともに、それぞれ自動販売機１〜３の動作が販売状態であるか否かを判定し、判定結果を特定の自動販売機１に通知する。販売状態であるか否かは、それぞれ人感センサ１４、２４、３４が人体を検出した場合、自販機主制御部Ｃ１１、Ｃ２１、Ｃ３１がそれぞれ販売状態であると判定する。表示部１１、２１、３１がタッチパネルを備える場合、このタッチパネルによる操作検出結果をもとに販売状態であると判定してもよい。また、操作部を有する場合、この操作部による操作を検出した場合に販売状態であると判定してもよい。ここで、販売状態でないとは、販売処理の待機中であり、自動販売機システム１００の周囲に商品購入を行おうとする人が居ない状態であり、広告表示が可能な状態である。
【００２４】
連動広告統制部４０は、販売状態でない、隣接する複数の自動販売機がある場合、隣接する複数の自動販売機に対して、表示する連動広告用コンテンツ及び表示開始の所定タイミングを含む連動広告表示通知を送る。
【００２５】
広告制御部１０、２０、３０は、特定の自動販売機１から連動広告表示通知を受けた場合、通知された連動広告用コンテンツＤ１１、Ｄ１２の表示を、通知された所定タイミングで開始する。また、広告制御部１０、２０、３０は、自身の自動販売機動作が販売状態である場合、商品販売のための商品一覧コンテンツＤ１５、Ｄ２５、Ｄ３５を自身の表示部１１、２１、３１に表示する。
【００２６】
連動広告統制部４０は、連動広告用コンテンツを表示中の自動販売機内に販売状態に変化した自動販売機がある場合、隣接する複数の自動販売機に対して連動広告用コンテンツの表示の停止を指示する連動広告表示停止通知を送る。広告制御部１０、２０、３０は、連動広告表示停止通知を受けた場合、自身の記憶部１２、２２、３２に保持された、単独の表示部で表示される単独広告用コンテンツＤ１３、Ｄ１４、Ｄ２３、Ｄ２４、Ｄ３３、Ｄ３４を表示する。
【００２７】
（連動広告統制部４０による連動広告表示統制処理）
つぎに、図３に示したフローチャートを参照して連動広告統制部４０による連動広告表示統制処理手順について説明する。なお、各自動販売機１〜３は、所定時間毎に自身の自動販売機１〜３が販売状態であるか否かの動作状態情報を連動広告統制部４０に通知している。なお、動作状態情報は、所定時間毎ではなく、販売状態に変化した時に販売状態になったことを示す情報を送ってもよいし、販売状態でない状態に変化した時に販売状態でないことを示す情報を送ってもよい。また、特定の自動販売機１が、所定時間毎に各自動販売機１〜３にアクセスして動作状態情報を取得するようにしてもよい。
【００２８】
図３において、まず、連動広告統制部４０は、通知された動作状態情報をもとに、販売状態でない、隣接する複数の自動販売機があるか否かを判断する（ステップＳ１０１）。販売状態でない、隣接する複数の自動販売機がない場合（ステップＳ１０１，Ｎｏ）には、ステップＳ１０１の判断処理を繰り返す。
【００２９】
販売状態でない、隣接する複数の自動販売機がある場合（ステップＳ１０１，Ｙｅｓ）には、さらに、販売状態でない、隣接する複数の自動販売機が前回と同じであるか否かを判断する（ステップＳ１０２）。販売状態でない、隣接する複数の自動販売機が前回と同じでない場合（ステップＳ１０２，Ｎｏ）には、連動広告表示通知を、販売状態でない、隣接する複数の自動販売機に送出する（ステップＳ１０３）。一方、販売状態でない、隣接する複数の自動販売機が前回と同じである場合（ステップＳ１０２，Ｙｅｓ）には、ステップＳ１０３をスキップし、現在の連動広告表示を維持する。
【００３０】
その後、連動広告表示中の自動販売機内に、販売状態に変化した自動販売機があるか否かを判断する（ステップＳ１０４）。連動広告表示中の自動販売機内に、販売状態に変化した自動販売機がある場合（ステップＳ１０４，Ｙｅｓ）には、連動広告表示停止通知を連動広告表示中の自動販売機に送出する（ステップＳ１０５）。一方、連動広告表示中の自動販売機内に、販売状態に変化した自動販売機がない場合（ステップＳ１０４，Ｎｏ）には、ステップＳ１０５をスキップし、現在の連動広告表示を維持する。そして、上述した処理を繰り返し行う。
【００３１】
（広告制御部１０、２０、３０による広告表示制御処理）
つぎに、図４に示したフローチャートを参照して広告制御部１０、２０、３０の広告表示制御処理手順について説明する。この広告表示制御処理は、すべての自動販売機１〜３の広告制御部１０、２０、３０が同じ処理を行うものである。ここでは、広告制御部２０が行う広告表示制御処理について説明する。
【００３２】
図４に示すように、まず、広告制御部２０は、自身の自動販売機２が販売状態か否かを判断する（ステップＳ２０１）。この販売状態か否かの動作状態情報は自販機主制御部Ｃ２１から取得する。販売状態でない場合（ステップＳ２０１，Ｎｏ）には、さらに、連動広告表示通知を受けたか否かを判断する（ステップＳ２０２）。連動広告表示通知を受けた場合（ステップＳ２０２，Ｙｅｓ）には、連動広告表示停止通知を受けたか否かを判断する（ステップＳ２０３）。そして、連動広告表示停止通知を受けていない場合（ステップＳ２０３，Ｎｏ）には、連動広告表示通知で指定した連動広告用コンテンツ、例えば連動広告用コンテンツＤ１１を、連動広告表示通知で示した所定タイミングで表示部２１に表示し（ステップＳ２０４）、上述した処理を繰り返す。
【００３３】
一方、販売状態である場合（ステップＳ２０１，Ｙｅｓ）には、表示部２１に対応した商品一覧コンテンツＤ２５を表示部２１に表示し（ステップＳ２０５）、上述した処理を繰り返す。
【００３４】
また、連動広告表示通知を受けていない場合（ステップＳ２０２，Ｎｏ）、あるいは、連動広告表示停止通知を受けている場合（ステップＳ２０３，Ｙｅｓ）には、自動販売機２の表示部２１のみのコンテンツである単独広告用コンテンツ、例えば単独広告用コンテンツＤ２３を表示部２１に表示し（ステップＳ２０６）、上述した処理を繰り返す。
【００３５】
すなわち、各自動販売機１〜３は、連動広告表示及び単独広告表示が連動広告統制部４０によって制御され、商品一覧表示が各広告制御部１０、２０、３０によって制御される。
【００３６】
（各表示部１１、２１、３１の広告表示例）
ここで、各表示部１１、２１、３１の広告表示例について説明する。図５は、隣接する自動販売機１、２、３がそれぞれ販売状態でない場合に、各表示部１１、２１、３１に対する表示内容を示す図である。図５では、販売状態でない各表示部１１、２１、３１に対して連動表示される連動広告用コンテンツＤ１１が表示されている。
【００３７】
図６は、隣接する自動販売機１、２が販売状態でなく、自動販売機３が販売状態である場合の各表示部１１、２１、３１に対する表示内容を示す図である。図６では、販売状態でない表示部１１、２１に対して連動表示される連動広告用コンテンツＤ１２が表示され、販売状態の表示部３１に対しては商品一覧コンテンツＤ３５が表示されている。
【００３８】
図７は、自動販売機１が販売状態であり、自動販売機２、３が販売状態でない場合の各表示部１１、２１、３１に対する表示内容を示す図である。この場合、販売状態でなく、かつ、隣接した複数の自動販売機が存在しないので、連動広告表示は行われない。図７では、販売状態の表示部１１に対して商品一覧コンテンツＤ１５が表示され、販売状態でなく、隣接しない表示部２１、３１に対して単独広告用コンテンツＤ２３、Ｄ３３がそれぞれ表示されている。
【００３９】
（表示領域の指定）
各自動販売機１〜３は、上述したように、同一の連動広告用コンテンツＤ１１、Ｄ１２を保持している。同一の連動広告用コンテンツＤ１１、Ｄ１２として保持すると、各表示部１１、２１、３１の表示領域に対応する部分の分割されたコンテンツとしてそれぞれ保持する場合に比して、コンテンツの作成、調整、管理が容易となり好ましい。
【００４０】
この場合、連動広告統制部４０は、連動広告表示通知に、通知先の自動販売機１〜３に対応した、連動広告用コンテンツ内の表示領域の指定を含めることが好ましい。
【００４１】
例えば、図８に示すように、連動広告用コンテンツＤ１１を自動販売機３の表示部３１に表示させる場合、連動広告統制部４０は、連動広告表示通知に、表示部３１に表示すべき連動広告用コンテンツＤ１１内の表示領域Ｅを示す表示領域情報を含める。表示領域情報には、連動広告用コンテンツＤ１１の全体に対する表示領域Ｅの位置Ｐ１、表示領域の幅Ｗ、表示領域の高さＨが含まれる。
【００４２】
なお、図９に示すように、表示領域情報には、通知先の自動販売機１〜３の表示画面ＥＡ上における表示領域Ｅの位置Ｐ２をさらに指定するようにしてもよい。
【００４３】
上述した同一の連動広告用コンテンツＤ１１、Ｄ１２及び表示領域情報は、自動販売機システム１００がネットワークを介してサーバに接続される場合、このサーバから配信されるようにしてもよい。あるいは、同一の連動広告用コンテンツＤ１１、Ｄ１２及び表示領域情報は、自動販売機システム１００をメンテナンスする作業者がＵＳＢメモリなどの記憶媒体を接続して格納するようにしてもよい。また、同一の連動広告用コンテンツＤ１１、Ｄ１２及び表示領域情報を自動販売機１に格納したのち、同一の連動広告用コンテンツＤ１１、Ｄ１２のみを各自動販売機２，３に配信するようにしてもよい。
【００４４】
なお、上述したように、２または４以上の自動販売機が併設される場合にも上述した連動広告表示統制処理を行うことができる。また、連動広告表示統制処理を行う連動広告統制部４０は、複数の自動販売機のうちの特定の自動販売機に設ければよく、各自動販売機は、特定の自動販売機に販売状態か否かの動作状態情報を通知すればよい。
【００４５】
また、隣接した複数の自動販売機は、少なくとも表示部を備えていればよく、表示部のみを備えた自動販売機の一部機構のみであってもよい。また、隣接した複数の自動販売機は、表示部と金銭処理機構と商品搬出機構とを有した自動販売機の一部機構であってもよい。この場合、商品選択部を備えなくても良い。また、隣接した複数の自動販売機は、表示部と商品搬出機構とを有した自動販売機の一部機構であってもよい。さらに、隣接した複数の自動販売機は、表示部と商品格納庫とを有した自動販売機の一部機構であってもよい。
【符号の説明】
【００４６】
１〜３  自動販売機
１０、２０、３０  広告制御部
１１、２１、３１  表示部
１２、２２、３２  記憶部
１３、２３、３３  通信部
１４、２４、３４  人感センサ
４０  連動広告統制部
１００  自動販売機システム
Ｃ１１、Ｃ２１、Ｃ３１  自販機主制御部
Ｄ１１、Ｄ１２  連動広告用コンテンツ
Ｄ１３、Ｄ１４、Ｄ２３、Ｄ２４、Ｄ３３、Ｄ３４  単独広告用コンテンツ
Ｄ１５、Ｄ２５、Ｄ３５  商品一覧コンテンツ
Ｅ  表示領域
ＥＡ  表示画面
Ｐ１、Ｐ２  位置
【図１】
0006801226.tif 000002
【図２】
0006801226.tif 000003
【図３】
0006801226.tif 000004
【図４】
0006801226.tif 000005
【図５】
0006801226.tif 000006
【図６】
0006801226.tif 000007
【図７】
0006801226.tif 000008
【図８】
0006801226.tif 000009
【図９】
0006801226.tif 000010